(57)【要約】　　　（修正有）【課題】手挽鋸で木材を切断する際に使用する治具に関するものであって、治具自体の精度の向上を図るとともに、使用中に加わる衝撃等によっても変形し難く、正確で耐久性のある治具を提供する。【解決手段】直角に交わる二つの面を有する押し出し成形金属材を縦方向に切断することによって得たガイドベース２と、ガイドベースの前面に配置させる鋸刃ガイドプレート５からなり、ガイドベースの前面と鋸刃ガイドプレートの後面との間に、鋸刃を挿入し得る隙間を形成し、切断作業の際、その隙間に鋸刃を差し入れた状態で行なうようにしたことを特徴とする治具。【選択図】　　図２
2004082575.tif 000002
【特許請求の範囲】
【請求項１】
直角に交わる二つの面１０・１０を有する押し出し成形金属材３を縦方向に切断することによって得たガイドベース２と、ガイドベース２の前面１０に配置させる鋸刃ガイドプレート５とからなり、ガイドベース２の前面１０と鋸刃ガイドプレート５の後面１９との間に、鋸刃６を挿入し得る隙間１２を形成した状態で鋸刃ガイドペレート５を取り付け得るように構成したことを特徴とする手挽鋸用治具。
【請求項２】
ガイドベース２と鋸刃ガイドプレート５との間に角度切り具９を配置させ、角度切り具９の一面と鋸刃ガイドプレート５の後面１９との間に、鋸刃６を挿入し得る隙間を形成した状態で鋸刃ガイドプレート５を取り付け得るように構成したことを特徴とする請求項１記載の手挽鋸用治具。
【発明の詳細な説明】
【０００１】
【発明が属する技術分野】
この発明は、手挽鋸で木材を切断する際に使用する治具に関するものである。
【０００２】
【従来の技術】
木工製品を製作する場合や、屋内の造作作業を行なう場合には、手挽鋸で木材を切断する必要がある場合が多いのであるが、切断面に狂いを生じさせることなく正確に切断するには、相当な熟練を要するのである。切断面に曲がりや狂いが生じると組み立てたときに全体が狂うとともに、隙間を生じさせ、仕上がり具合を著しく損なうことになるのである。このようなことから、最近では、鋸刃をガイドする隙間を形成した専用の治具が案出されているのであるが、従来のものは、金属板にプレス加工を施すことによって、ベース部を形成し、ベース部に鋸刃を保持するガイド取り付けた構成となっているのである。
【０００３】
【発明が解決しようとする課題】
しかし、プレート部をプレス加工により形成しようとした場合、精度の確保が難しいだけでなく、使用中に加わる衝撃等により変形しやすく、また、狂いを生じた場合の修正が不可能であるという欠点があるのである。この種の治具にあって、プレート部に狂いが生じれば、治具としての機能を果たすことが出来なくなってしまうのである。
【０００４】
この発明は、鋸で木材を切断する際に使用する治具に関するものであって、治具自体の精度の向上を図るとともに、使用中に加わる衝撃等によっても変形し難く、正確で耐久性のある治具を提供しよとするものである。
【０００５】
【課題を解決するための手段】
この発明は、木材に対する切断加工を行なう際に使用する治具であって、直角に交わる二つの面を有する押し出し成形金属材を縦方向に切断することによって得たガイドベースと、ガイドベースの前面に配置させる鋸刃ガイドプレートからなり、ガイドベースの前面と鋸刃ガイドプレートの後面との間に、鋸刃を挿入し得る隙間を形成し、切断作業の際、その隙間に鋸刃を差し入れた状態で行なうようにすることによって、木材に対する正確な切断加工を容易に行ない得るようにしようとするものである。
【０００６】
【実施例】
図面にもとづいて、この発明の実施例を説明すると、治具本体１は、図１ないし図６に示すとおり、直角に交わる二つの面１０・１０を有する押し出し成形金属材３を縦方向に切断することによって得たガイドベース２と、ガイドベース２に取り付ける位置決めストッパー７と、ガイドベース２の前面１０に配置させる鋸刃ガイドプレート５とからなり、ガイドベース２の前面１０と鋸刃ガイドプレート５の後面１９との間に鋸刃６を挿入し得る隙間１２を形成した状態で、鋸刃ガイドプレート５を取り付け得るようにするとともに、位置決めストッパー７をガイドベース２に取り付け得るように形成した構成となっているのである。
【０００７】
すなわち、ガイドベース２は、図２、並びに、図６に示すように、直角に交わる二つの面１０・１０を有するとともに、その裏側に板部１０ａ・１０ａを配置させた二重構造で、立ち上がり状の面１０の上方部に、長手方向に沿たスリット１４を有するアルミの押し出し成形金属材３を、縦方向に切断加工することによって形成されており、水平状のプレート部１５の両側部に、ネジ孔１６・１６を形成し、また、立ち上がり部の中心部に、孔１７を形成した構成となっているのである。
【０００８】
鋸刃ガイドプレート５は、上部に孔１８・１８を有するとともに、下端部が円弧状となったプレート１９と、上部に孔２１・２１を有し、鋸刃６の刃厚に等しい厚さの板材をもって形成したスペーサー２０と、上部にネジ孔２２・２２を有する保持板２３とからなり、プレート１９の裏面部にスペーサー２０を沿わせて孔１８と２１とを一致させた後、取り付けネジ２４を差し入れ、取り付けネジ２４の先端を保持板２３のネジ孔２２に螺合させた構成となっており、取り付けネジ２４を緩めた状態にして、ネジ軸部をガイドベース２に形成したスリット１４に差し入れるとともに、保持板２３を立ち上がり面１０の裏面側に位置させた状態とした後、取り付けネジ２４を締め付けることによって、ガイドベース２に取り付け固定し得る構成となっており、それにより、ガイドベース２の立ち上がり面１０とプレート１９と間に、スペーサー２０の厚み分の隙間１２が形成されることになるのである。
【０００９】
位置決めストッパー７は、上部が蒲鉾状で、下方部にガイドベース２のプレート部１５を差し入れ得る幅の凹部２５を有するとともに、下方に向けて垂下部２６を有する形のアルミの押し出し成形材を、プレート１５の長さに縦切りすることによって形成されており、側面部には、取り付けネジ２７を差し入れ得る孔２８・２８が形成されており、凹部２５内にプレート部１５を差し入れた後、孔２８に取り付けネジ２７の先端を差し入れるとともに、プレート部１５に形成したネジ孔１６に螺合させて締め付けることにより、ガイドベース２に取り付け得る構成となっているのである。
【００１０】
上記の位置決めストッパー７は、図７に示すように、治具本体１を手で持って切断作業を行なう場合に装着して使用するものであり、位置決めストッパー７の垂下部２６を木材３７の側面部に当てがった状態にして使用されるのである。木材の大きさや形により、手持ちでの作業が出来ないような場合には、位置決めストッパー７を装着せずにクランプで固定したり、切断しようとする板面上にガイドレールを固定するとともに、ガイドレールをガイドベース２の後方部に形成した切り込み溝３６に嵌め込み、治具本体１がガイドレールに沿って移動するようにして使用することも可能である。
【００１１】
角度切り具９は、二つの面の角度が４５度となるように形成されたアルミの押し出し成形材を、その長さがガイドベース２の立ち上がり面１０よりやや短くなるように切断することによって形成されており、ガイドベース２の後方に形成された孔１７から取り付けネジ３２を差し入れ、取り付け面２９の中心部に形成されたネジ孔３３に螺合させることによって、ガイドベース２に取り付け得る構成となっているのである。また、角度切り具９の角度面３０の上縁部と下縁部とには、それぞれ２個の切り込み部３４が形成されており（下縁部のものは図示されていない。）、鋸刃ガイドプレート５のスペーサー２０と保持板２３との間に、角度切り具９の上縁部を差し入れるとともに、取り付けネジ２４の軸部が切り込み部３４内に嵌り込んだ状態にして締め付けることによって、鋸刃ガイドプレート５を角度切り具９に取り付け得る構成となっているのである。なお、図５は、鋸刃ガイドプレート５が向う側に位置した状態で取り付けた場合であるが、取り付けネジ３２を緩め、角度切り具９を１８０度回転させた状態で取り付けることによって、鋸刃ガイドプレート５が、手前側を向いた状態で取り付けることも可能である。
上記は、角度切り具９における、ガイドベース２への取り付け面２９と、鋸刃ガイドプレート５への取り付け面３０との配置角度を４５度とした場合の実施例であるが、それ以外の角度のものを形成することも可能である。
【００１２】
【発明の効果】
この発明にかかる治具本体１は、ガイドベース２をアルミ等の押し出し成形材を縦切りすることによって形成されており、製造上の精度の確保が容易になり、それを使用することにより、特別な熟練を要することなく、木材に対する正確な切断加工を行ない得るという利点があるのである。また、アルミ等の押し出し成形材を使用してガイドベース２を形成した構成となっている結果、空洞部を有する二重構造することが可能になるとともに、空洞部内に補強リブを形成することが簡単に出来、そのような構成とすることによって、軽くて、変形することのない耐久性に優れた治具を形成することができるという利点があるのである。
【図面の簡単な説明】
【図１】この発明にかかる治具全体を示す斜視図である。
【図２】この発明にかかる治具の構成を示す分解斜視図である。
【図３】鋸刃ガイドプレートの構成を示す分解斜視図である。
【図４】角度切り具の装着例を示す分解斜視図である。
【図５】角度切り具を装置した状態を示す斜視図である。
【図６】押し出し成形金属材の構成を示す斜視図である。
【図７】鋸での切断要領を示す斜視図である。
【符号の説明】
１　　治具本体
２　　ガイドベース
３　　押し出し成形金属材
５　　鋸刃ガイドプレート
６　　鋸刃
９　　角度切り具
１０　　面
１２　　隙間
１９　　鋸刃ガイドプレートの後面
【図１】
2004082575.tif 000003
【図２】
2004082575.tif 000004
【図３】
2004082575.tif 000005
【図４】
2004082575.tif 000006
【図５】
2004082575.tif 000007
【図６】
2004082575.tif 000008
【図７】
2004082575.tif 000009